(57)【要約】【課題】保守点検作業を簡単に行うことができるＬＥＤ表示装置を提供する。【解決手段】ＬＥＤ表示装置１０は、箱状の本体１１と、本体１１の一端面２０に設けられた開口２１と、開口２１を覆う扉１２と、扉１２に設けられたＬＥＤ表示部１３と、扉１２を含む一端面２０を覆う化粧板１４とを備え、開口２１の縁部に沿う扉回動軸２２を中心として扉１２が本体１１に対して回動可能であるとともに、一端面２０の縁部に沿う化粧板回動軸２３を中心として化粧板１４が本体１１に対して回動可能である。【選択図】図３
2011133551.tif 000002
【特許請求の範囲】
【請求項１】
箱状の本体と、
前記本体の一端面に設けられた開口と、
前記開口を覆う扉と、
前記扉に設けられたＬＥＤ表示部と、
前記扉を含む前記一端面を覆う化粧板とを備え、
前記開口の縁部に沿う扉回動軸を中心として前記扉が前記本体に対して回動可能であるとともに、前記一端面の縁部に沿う化粧板回動軸を中心として前記化粧板が前記本体に対して回動可能であるＬＥＤ表示装置。
【請求項２】
前記扉回動軸および前記化粧板回動軸が水平、かつ、互いに平行であるとともに、前記扉および前記化粧板が同―方向に向けて回動可能である請求項１に記載のＬＥＤ表示装置。
【発明の詳細な説明】
【技術分野】
【０００１】
本発明は、ＬＥＤを光源として例えば有料道路上の情報等を表示するのに用いられるＬＥＤ表示装置に関する。
【背景技術】
【０００２】
従来のＬＥＤ表示装置の一例として、ケース内にＬＥＤを収容したものがある（例えば、特許文献１、特許文献２参照）。
【先行技術文献】
【特許文献】
【０００３】
【特許文献１】特開平１１−３０５６８５号公報（図１、請求項１）
【特許文献２】特開２００６−１６２８８９号公報（図１、請求項１）
【発明の概要】
【発明が解決しようとする課題】
【０００４】
特許文献１および特許文献２では、ケース内に収容されている電源回路や制御回路等の電気部品およびＬＥＤの保守点検作業を行う必要がある。
【０００５】
そこで、図１０に示すように、保守点検作業を行えるようにするために、ＬＥＤ１０１を取り付けた化粧板１０２がケース１０３に対して開閉できるようにしたＬＥＤ表示装置１００がある。このようなＬＥＤ表示装置１００では、化粧板１０２を開放状態にしてケース１０３内の電源回路や制御回路やＬＥＤ１０１の保守点検作業が行われる。
【０００６】
しかし、ＬＥＤ表示装置１００では、化粧板１０２にＬＥＤ１０１が取り付けられているため、化粧板１０２全体の重量が大きくなり、作業者が一人で化粧板１０２を開閉させ難い。
特に、近年、省人化が促進されていることもあり、ＬＥＤ表示装置の保守点検作業を作業員が一人で行えるようにすることが望まれている。
【０００７】
本発明は、前述した課題を解決するためになされたものであり、その目的は、保守点検作業を簡単に行うことができるＬＥＤ表示装置を提供することにある。
【課題を解決するための手段】
【０００８】
本発明に係るＬＥＤ表示装置は、箱状の本体と、前記本体の一端面に設けられた開口と、前記開口を覆う扉と、前記扉に設けられたＬＥＤ表示部と、前記扉を含む前記一端面を覆う化粧板とを備え、前記開口の縁部に沿う扉回動軸を中心として前記扉が前記本体に対して回動可能であるとともに、前記一端面の縁部に沿う化粧板回動軸を中心として前記化粧板が前記本体に対して回動可能である。
【０００９】
本発明においては、ＬＥＤ表示部を設けた扉と、化粧板とがそれぞれ独立して本体に対して開閉可能であるため、保守点検作業を作業員が一人で簡単に行うことができる。
【００１０】
また、本発明に係るＬＥＤ表示装置は、上記ＬＥＤ表示装置において、前記扉回動軸および前記化粧板回動軸が水平、かつ、互いに平行であるとともに、前記扉および前記化粧板が同―方向に向けて回動可能である。
【００１１】
本発明においては、扉および化粧板が同一方向に回動可能であるため、例えば扉および化粧板が異なる方向に回動する場合に比較して、良好な作業性を得られる。
【発明の効果】
【００１２】
本発明のＬＥＤ表示装置によれば、ＬＥＤ表示部を設けた扉と、化粧板とが独立して本体に対し回動されることにより開閉可能であるため、作業者が一人で保守点検作業を簡単に行うことができるという効果を有する。
【図面の簡単な説明】
【００１３】
【図１】本発明に係る一実施形態のＬＥＤ表示装置の正面図
【図２】図１のＬＥＤ表示装置の右側面図
【図３】図１のＬＥＤ表示装置の化粧板と扉とを開放した外観斜視図
【図４】図３のＬＥＤ表示装置の正面図
【図５】図３のＬＥＤ表示装置の右側面図
【図６】図１のＬＥＤ表示装置の一部破断右側面図
【図７】図６のＬＥＤ表示装置のＬＥＤ表示部の正面図
【図８】図７のＬＥＤ表示部の背面図
【図９】図６のＬＥＤ表示装置におけるＬＥＤ表示部周りの拡大図
【図１０】従来のＬＥＤ表示装置の外観図
【発明を実施するための形態】
【００１４】
以下、本発明に係る一実施形態のＬＥＤ表示装置について図面を参照して説明する。
図１、図２に示すように、本発明の一実施形態であるＬＥＤ表示装置１０は、本体１１と、扉１２と、ＬＥＤ表示部１３と、化粧板１４と、信号表示部１５とを備えて、例えば有料道路における料金収受ゲートの上部に設置される。
【００１５】
本体１１は、金属製であって箱形状に形成されている。この本体１１は、料金収受ゲートの上部に吊り下げるための複数のフック１６が上面に設けられているとともに、一端面２０を覆う化粧板１４が組み付けられている。
化粧板１４は、その中央部に化粧板開口１７が設けられている。ＬＥＤ表示部１３は、化粧板開口１７を通じて料金収受ゲートへの進入時に車両の運転者に目視される。
信号表示部１５は、本体１１の下部に取り付けられている。この信号表示部１５は、料金収受ゲートへの車両の進入を許可する場合に点灯する進入許可信号灯１８と、料金収受ゲートへの車両の進入を許可しない場合に点灯する進入不許可信号灯１９と、が並べて備えられている。
【００１６】
図３、図４、図５に示すように、本体１１は、その一端面２０に設けられた本体開口２１と、本体開口２１を覆う扉１２とが備えられている。扉１２は、ＬＥＤ表示部１３が設けられていて、扉回動軸２２を介して本体開口２１の上縁部に取り付けられている。このため、扉１２は、扉回動軸２２を回動中心として本体１１に対して本体開口２１を覆う位置から略水平となる位置まで回動可能である。
また、本体１１は、本体開口２１が閉鎖された状態、すなわち、扉１２が本体開口２１を覆う状態を維持するための扉閉鎖維持手段（図示せず）と、本体開口２１が開放された状態、すなわち、扉１２の水平状態を維持するための扉開放維持手段（図示せず）とを有する。
【００１７】
化粧板１４は、その上縁部が化粧板回動軸２３を介して本体１１の一端面２０の上縁部に取り付けられているため、扉１２を含む一端面２０を覆う状態から、化粧板回動軸２３を回動中心として本体１１に対して略水平となる位置まで回動可能である。
また、本体１１は、一端面２０が閉鎖された状態、すなわち、化粧板１４が一端面２０を覆う状態を維持するための化粧板閉鎖維持手段（図示せず）と、本体１１の一端面２０が開放された状態、すなわち、化粧板１４の水平状態を維持するための化粧板開放維持手段（図示せず）とを有する。
【００１８】
扉回動軸２２が本体開口２１の上縁部に取り付けられているとともに、化粧板回動軸２３が一端面２０の上縁部に取り付けられ、扉回動軸２２および化粧板回動軸２３が互いに水平、かつ、平行であるため、扉１２および化粧板１４が同―方向である上方に向けて回動可能である。
本体１１の内部には本体１１内に引き込まれた商用電源をＬＥＤ表示部１３用の直流電源に変換するための直流電源部２４と、ＬＥＤ表示部１３の表示を制御する制御回路部２５とが本体１１の幅方向に沿って並列に取り付けられている。
【００１９】
図６、図７、図８、図９に示すように、ＬＥＤ表示部１３は、複数のＬＥＤユニット２７が基板２８上に配列されている。ＬＥＤユニット２７は、その表面において複数の水平ルーバ２６の間に任意の画像が表現できるように、Ｘ軸とＹ軸との行列配列によって画面を構成するマトリックス状に配列されている。
このＬＥＤ表示部１３は、有料道路の料金収受方法として、自動料金収受のみを示す場合に「ＥＴＣ（Electronic Toll Collection）」の文字が表示され、自動料金収受および手動料金収受を示す場合に「ＥＴＣ・一般」の文字が表示され、手動料金収受のみを示す場合に「一般」の文字が表示される。
【００２０】
ＬＥＤ表示部１３は、その基板２８の裏面と、本体１１の内部に形成されているＬＥＤ表示部支持板２９との間に防水用の無端状のパッキン部材３０が組み付けられている。そのため、本体１１は、扉１２が本体開口２１を閉塞している際に防水性が得られる。
なお、この実施形態において、パッキン部材３０は、基板２８の裏面に組み付けられているが、これとは異なり、ＬＥＤ表示部支持板２９のＬＥＤ表示部１３側に組み付けられていても良い。
【００２１】
このような構造のＬＥＤ表示装置１０は、作業者が保守点検を行うに際し、まず、化粧板１４の化粧板閉鎖維持手段を解除し、化粧板回動軸２３を回動中心として化粧板１４を本体１１に対して回動させてから、化粧板開放維持手段により化粧板１４の開放状態を維持させる。
次に、作業者が扉１２の扉閉鎖維持手段を解除し、扉回動軸２２を回動中心として扉１２を本体１１に対して回動させてることにより本体開口２１を露出させてから、扉開放維持手段により扉１２の開放状態を維持させる。
このとき、作業者は、化粧板１４および扉１２を順次回動させればよいため、従来のような大きな重量の化粧板を支える必要がない。
【００２２】
作業者は、露出した本体開口２１を通じて本体１１内の直流電源部２４、制御回路部２５およびＬＥＤ表示部１３を点検する。そして、作業者は、点検が終了した後に扉１２を閉鎖してから扉閉鎖維持手段により扉１２の閉鎖を維持させ、続いて、化粧板１４を閉鎖してから化粧板１４の化粧板閉鎖維持手段により化粧板１４の閉鎖を維持させる。
【００２３】
以上説明してきたように、本発明に係る一実施形態のＬＥＤ表示装置１０によれば、ＬＥＤ表示部１３を設けた扉１２と化粧板１４とが本体１１に対して独立して回動可能であるため、作業者が従来のような大きな重量の化粧板を開閉させる必要がなく、これにより保守点検作業を作業員が一人で簡単に行える。
【００２４】
また、ＬＥＤ表示装置１０によれば、本体１１の一端面２０側において扉１２および化粧板１４が上方に回動可能であるため、扉１２および化粧板１４を開放させた状態で扉１２および化粧板１４が作業の障害とならず、これにより保守点検作業にあたって良好な作業性を得られる。
【００２５】
なお、前述した実施形態において、扉および化粧板が上方に回動可能な形態が例示されていたが、扉および化粧板が下方や側方に回動する形態や、扉および化粧板が異なる方向に向けて回動する形態等も本発明に含まれる。
また、本発明は、有料道路の料金収受ゲートに設置されるＬＥＤ表示装置に限定されず、各種一般道路上も含めて目的地までの距離表示や速度規制表示等の情報表示や、その他一般的な表示装置全般に適用可能である。
【符号の説明】
【００２６】
１０  ＬＥＤ表示装置
１１  本体
１２  扉
１３  ＬＥＤ表示部
１４  化粧板
２０  一端面
２１  本体開口（開口）
２２  扉回動軸
２３  化粧板回動軸
【図１】
2011133551.tif 000003
【図２】
2011133551.tif 000004
【図３】
2011133551.tif 000005
【図４】
2011133551.tif 000006
【図５】
2011133551.tif 000007
【図６】
2011133551.tif 000008
【図７】
2011133551.tif 000009
【図８】
2011133551.tif 000010
【図９】
2011133551.tif 000011
【図１０】
2011133551.tif 000012